(57)【要約】【課題】送風機取付用の仕切板の機械室内への取付強度を確実にし、送風機回転時の振動によるビビリ音を抑え、また、機械室内に配置される部品点数を削減し、組立作業性の向上を図ることのできる冷蔵庫を提供する【解決手段】仕切板６の上部に、冷蔵庫本体１背面下部に対応するネジ止め用の複数の挿通孔１０を備えた把手部１１を一体に設け、前記仕切板６を機械室２内に取付け、前記把手部１１に備えた複数の挿通孔１０を通して、前記冷蔵庫本体１背面下部にネジで締結するようにしている。また、前記仕切板６の上部前後方向に、前記冷蔵庫本体１の底部１ａとを仕切る仕切片９を設け、同仕切片９の上面に配管１５を保持するための凹部１２を一体に形成し、且つ、コネクタを収納する収納ボックス１３およびコネクタへ配線するリード線の配線保持部１４を前記仕切板６に一体に形成している。【選択図】  図２
2004293938.tif 000002
【特許請求の範囲】
【請求項１】
冷蔵庫本体の下部後方に形成された機械室に圧縮機と、同圧縮機等を冷却する送風機と、同送風機の風の上流側と下流側とに仕切る送風機取付用の仕切板を配置してなる冷蔵庫において、
送風機取付用の前記仕切板の上部に、前記冷蔵庫本体背面下部に対応するネジ止め用の複数の挿通孔を備えた把手部を一体に設けてなることを特徴とする冷蔵庫。
【請求項２】
送風機取付用の前記仕切板の上部前後方向に、前記冷蔵庫本体の底部とを仕切る仕切片を設け、同仕切片の上面に配管保持用の凹部を一体に形成してなることを特徴とする請求項１記載の冷蔵庫。
【請求項３】
送風機取付用の前記仕切板の前面上下方向に、コネクタを収納する収納ボックスを一体に形成してなることを特徴とする請求項１記載の冷蔵庫。
【請求項４】
送風機取付用の前記仕切板に形成したコネクタ収納ボックスの近傍に、コネクタへ配線するリード線を保持する複数の配線保持部を一体に形成してなることを特徴とする請求項１または３記載の冷蔵庫。
【発明の詳細な説明】
【０００１】
【発明の属する技術分野】
本発明は冷蔵庫に係わり、より詳細には、圧縮機の熱を放熱する送風機取付用の仕切板の構造に関する。
【０００２】
【従来の技術】
従来の冷蔵庫は、例えば図４および図５に示すような冷蔵庫本体１の下部後方には機械室２が形成されており、この機械室２内に圧縮機３と、同圧縮機３から発生する熱を放熱する送風機４と、図示されていない蒸発器からドレンパイプを介して流下した除霜水を蒸発させる蒸発皿５が設けられ、同蒸発皿５は前記圧縮機３からの放熱を利用して除霜水をより早く蒸発させるために前記圧縮機３の上方に配置され、前記送風機４は前記圧縮機３の側面に対向させて立設されている。
【０００３】
前記送風機４は送風機取付用の仕切板６に取付られ、前記機械室２内に、前記送風機４の上流側と下流側とを仕切るように設置されているが、前記圧縮機３の放熱効率を高めるためには、前記冷蔵庫本体１底部１ａと圧縮機受台１６間の隙間がないように仕切ることが必要であり、前記仕切板６は、冷蔵庫の機種の違いによって前記機械室２内の高さや奥行き寸法が異なると、その機械室２に対応する形状のものが必要となっていた。
【０００４】
そこで（例えば、特許文献１参照）、送風機取付用の前記仕切板６の外周縁部にセルフヒンジ部を介して一体に成形され、前記セルフヒンジ部を介して前記仕切板６側へ折り曲げた場合と前記仕切板６から外方へ突出させるように伸ばした場合とで、前記仕切板６の高さ方向または奥行き方向の寸法を可変する仕切片を有する構成のものが見られた。
【０００５】
しかしながら、上記のように構成されたものでは、送風機取付用の前記仕切板６の前記機械室２内への取付固定強度が不足し、前記送風機４回転時の振動によるビビリ音の発生が起こり易くなるという恐れや、また、前記機械室２内は、前記圧縮機３や配管保持具１７等に保持された配管１５等の部品が狭い空間に多く配置されており、組立作業性が悪く、コスト的に不利となるという恐れのある問題を有していた。
【０００６】
【特許文献１】
特開２００３−４３６０号公報（第２ー４頁、第１図）
【０００７】
【発明が解決しようとする課題】
本発明においては、上記の問題点に鑑み、送風機取付用の仕切板の機械室内への取付強度を確実にし、送風機回転時の振動によるビビリ音を抑え、また、機械室内に配置される部品点数を削減し、組立作業性の向上を図ることのできる冷蔵庫を提供することを目的としている。
【０００８】
【課題を解決するための手段】
本発明は、上記問題点を解決するため、冷蔵庫本体の下部後方に形成された機械室に圧縮機と、同圧縮機等を冷却する送風機と、同送風機の風の上流側と下流側とに仕切る送風機取付用の仕切板を配置してなる冷蔵庫において、
送風機取付用の前記仕切板の上部に、前記冷蔵庫本体背面下部に対応するネジ止め用の複数の挿通孔を備えた把手部を一体に設けた構成となっている。
【０００９】
送風機取付用の前記仕切板の上部前後方向に、前記冷蔵庫本体の底部とを仕切る仕切片を設け、同仕切片の上面に配管保持用の凹部を一体に形成した構成となっている。
【００１０】
送風機取付用の前記仕切板の前面上下方向に、コネクタを収納する収納ボックスを一体に形成した構成となっている。
【００１１】
送風機取付用の前記仕切板に形成したコネクタ収納ボックスの近傍に、コネクタへ配線するリード線を保持する複数の配線保持部を一体に形成した構成となっている。
【００１２】
【発明の実施の形態】
以下、本発明の実施の形態を、添付図面に基づいた実施例として説明する。
図１は本発明による冷蔵庫の概略構成を示す背面図であり、図２は本発明による冷蔵庫の一実施例の機械室を示す要部斜視図（Ａ）および要部拡大斜視図（Ｂ）であり、図３は本発明による送風機取付用の仕切板を示す斜視図（Ａ）と、正面図（Ｂ）および送風機を取付た状態を示す側面図（Ｃ）である。
なお、従来例と同じ部分の符号は同一とする。
【００１３】
図において、図１および図２は冷蔵庫の背面側下部を表したもので、冷蔵庫本体１の背面下部には、機械室２が形成されている。この機械室２内には圧縮機３と、同圧縮機３から発生する熱を放熱する送風機４と、図示されていない蒸発器からドレンパイプを介して流下した除霜水を蒸発させる蒸発皿５が設けられ、同蒸発皿５は前記圧縮機３からの放熱を利用して除霜水をより早く蒸発させるために前記圧縮機３の上方に配置され、前記送風機４は前記圧縮機３の側面に対向させて立設されている。
【００１４】
前記送風機４は送風機取付用の仕切板６に取付られ、前記機械室２内に、前記送風機４の上流側と下流側とを仕切るように設置され、そして、前記圧縮機３の放熱効率を高めるためには、前記冷蔵庫本体１底部１ａと圧縮機受台１６間の隙間がないように仕切ることが必要であり、前記仕切板６は、冷蔵庫の機種の違いによって機械室２内の高さや奥行き寸法が異なっていても対応できるように、前記仕切板６の外周縁部７にセルフヒンジ部８を介して仕切片９を一体に成形し、同仕切片９を前記セルフヒンジ部８を介して前記仕切板６側へ折り曲げた場合と、前記仕切板６から外方へ突出させるように伸ばした場合とで、前記仕切板６の高さ方向または奥行き方向の寸法を可変することができるようにしている。
【００１５】
本発明の送風機取付用の前記仕切板６を、図３で示すように、前記仕切板６の上部に、前記冷蔵庫本体１背面下部に対応するネジ止め用の複数の挿通孔１０を備えた把手部１１を一体に設け、前記仕切板６を前記機械室２内に取付け、前記把手部１１に備えた複数の挿通孔１０を通して、前記冷蔵庫本体１背面下部にネジで締結するようにしている。
【００１６】
前記仕切板６を前記冷蔵庫本体１にネジで締結することにより、前記仕切板６の前記冷蔵庫本体１への取付強度が確実となり、前記送風機４の回転時の振動によるビビリ音の発生を防止できる。
【００１７】
また、前記仕切板６の上部前後方向に、前記冷蔵庫本体１の底部１ａとを仕切る前記仕切片９を設け、同仕切片９の上面に配管１５を保持するための凹部１２を設け、同凹部１２を設けることにより他の場所に配管保持具の必要を無くし、前記仕切片９を前記仕切板６の外周縁部７にセルフヒンジ部８を介して一体に形成している。また、前記仕切板６の前面上下方向に、コネクタを収納する収納ボックス１３を前記仕切板６の外周縁部７にセルフヒンジ部８を介して一体に形成するとともに、前記収納ボックス１３の近傍に、コネクタへ配線するリード線を保持する複数の配線保持部１４を一体に形成している。
【００１８】
前記仕切板６に、前記把手部１１、配管保持用の前記凹部１２、前記コネクタ収納ボックス１３、前記配線保持部１４を一体に形成することにより、部品点数が削減され、組立作業性が向上する。
【００１９】
上記構成において、送風機取付用の前記仕切板６を前記冷蔵庫本体１にネジで締結することにより、前記仕切板６の前記冷蔵庫本体１への取付強度が確実となり、前記送風機４の回転時の振動によるビビリ音の発生を防止でき、また、前記仕切板６に、前記把手部１１、配管保持用の前記凹部１２、前記コネクタ収納ボックス１３、前記配線保持部１４を一体に形成することにより、部品点数が削減され、組立作業性が向上し、ビビリ音の発生が起こり易くなるという恐れや、コスト的に不利となる恐れのある問題をなくすことができる。
【００２０】
【発明の効果】
以上に説明したように、本発明によれば、送風機取付用の仕切板の機械室内への取付強度を確実にし、送風機回転時の振動によるビビリ音を抑え、また、機械室内に配置される部品点数を削減し、組立作業性の向上を図ることのできる冷蔵庫となる。
【図面の簡単な説明】
【図１】本発明による冷蔵庫の概略構成を示す背面図である。
【図２】本発明による冷蔵庫の一実施例の機械室を示す要部斜視図（Ａ）および要部拡大斜視図（Ｂ）である。
【図３】本発明による送風機取付用の仕切板を示す斜視図（Ａ）と、正面図（Ｂ）および送風機を取付た状態を示す側面図（Ｃ）である。
【図４】従来例による冷蔵庫の機械室を示す要部斜視図（Ａ）および要部拡大斜視図（Ｂ）である。
【図５】従来例による送風機取付用の仕切板を示す斜視図（Ａ）と、正面図（Ｂ）および送風機を取付た状態を示す側面図（Ｃ）である。
【符号の説明】
１    冷蔵庫本体（断熱箱体）
１ａ    底部
２    機械室
３    圧縮機
４    送風機
５    蒸発皿
６    仕切板
７    外周縁部
８    セルフヒンジ部
９    仕切片
１０      挿通孔
１１    把手部
１２      凹部
１３      収納ボックス
１４      配線保持部
１５      配管
１６    圧縮機受台
１７    配管保持具
【図１】
2004293938.tif 000003
【図２】
2004293938.tif 000004
【図３】
2004293938.tif 000005
【図４】
2004293938.tif 000006
【図５】
2004293938.tif 000007